(57)【要約】【課題】  消費者のヒートシンク操作を要することなく、ヒートシンクによってカードの排熱を行うことができるカード用コネクタを提供する。【解決手段】  カード用コネクタ１は、コネクタ部１０に挿入されたカードＣの一面と接触するヒートシンク７０と、ヒートシンク７０をカードＣの一面側に付勢するばね手段６１とを具備している。押圧ロッド２４は、カードＣの挿入時にヒートシンク７０がカードＣの一面から退避するよう作用する第１カム面２６ａと、カードＣの排出時にヒートシンク７０がカードＣの一面から退避するよう作用する第２カム面２６ｂとを有するカム部２５を有する。【選択図】      図６
2005285522.tif 000002
【特許請求の範囲】
【請求項１】
カードが挿入されるコネクタ部と、該コネクタ部から前記カードを排出するイジェクト機構とを備え、該イジェクト機構が、前記コネクタ部に回動可能に設けられ、前記カードをコネクタ部から排出するカムアームと、前記コネクタ部の一側に設けられると共に前記カムアームに連結され前後方向に直動可能な押圧ロッドとを有し、前記カードの挿入時に前記カムアームが回動して前記押圧ロッドが後退し、前記押圧ロッドの前進時に前記カムアームが回動して前記カードを排出するカード用コネクタにおいて、
前記コネクタ部に挿入された前記カードの一面と接触するヒートシンクと、該ヒートシンクを前記カードの前記一面側に付勢するばね手段とを具備し、
前記押圧ロッドは、前記カードの挿入時に前記ヒートシンクが前記カードの前記一面から退避するよう作用する第１カム面と、前記カードの排出時に前記ヒートシンクが前記カードの前記一面から退避するよう作用する第２カム面とを有するカム部を有することを特徴とするカード用コネクタ。
【請求項２】
前記カードの挿入時に前記カムアームが回動して前記押圧ロッドが後退し、前記カードの挿入完了後に前記ヒートシンクが前記カム部の前記第２カム面とカム係合して前記カードの前記一面に接触するとともに前記押圧ロッドと前記カムアームとの間に遊びが生じることを特徴とする請求項１記載のカード用コネクタ。
【請求項３】
前記ヒートシンクは、前記カード用コネクタの下フレームに上下方向に回動可能に軸支された上フレームに支持されていることを特徴とする請求項１又は２記載のカード用コネクタ。
【請求項４】
前記ヒートシンクは、前記上フレームに上下方向に回動可能に支持されていることを特徴とする請求項３記載のカード用コネクタ。
【請求項５】
前記押圧ロッドが設けられている側と反対側のコネクタ部の側部に、前後方向に直動可能な第２ロッドが設けられ、該第２ロッドは、前記カードの挿入時に前記ヒートシンクが前記カードの前記一面から退避するよう作用する第１カム面と、前記カードの排出時に前記ヒートシンクが前記カードの前記一面から退避するよう作用する第２カム面とを有する第２カム部を有し、前記押圧ロッド及び前記第２ロッド間を結合するリンクが設けられたことを特徴とする請求項１又は２記載のカード用コネクタ。
【請求項６】
前記ヒートシンクが前記カードの前記一面から退避する際に、前記ヒートシンクの片側の上方への移動を制限する制限部が設けられたことを特徴とする請求項４記載のカード用コネクタ。
【請求項７】
前記上フレームに、前記ヒートシンクの片側を前記制限部側に向けて付勢するばね手段を設けたことを特徴とする請求項６記載のカード用コネクタ。
【請求項８】
前記カードの非挿入時に前記押圧ロッドの後退をロックし、前記カードの挿入時に該カードと係合して前記押圧ロッドのロックを解除するロック部を有することを特徴とする請求項１記載のカード用コネクタ。
【発明の詳細な説明】
【技術分野】
【０００１】
本発明は、ＰＣＭＣＩＡ規格のＰＣカード等のカードが挿入されるコネクタ部と、コネクタ部からカードを排出するイジェクト機構とを備えたカード用コネクタに関する。
【背景技術】
【０００２】
従来のこの種のカード用コネクタとして、例えば、図１７（特許文献１参照）に示すものが知られている。
このカード用コネクタ１０１は、回路基板ＰＣＢ上に実装され、ＰＣＭＣＩＡ規格のＰＣカード等のカード（図示せず）が挿入されるコネクタ部１０２と、コネクタ部１０２からカードを排出するイジェクト機構１０３とを備えている。そして、イジェクト機構１０３は、コネクタ部１０２に対して回動可能に設置され、コネクタ部１０２に挿入されたカードの前端（図１７における上端）を後方に向けて押圧し、カードをコネクタ部１０２から排出するカムアーム１０４と、カムアーム１０４に連結され前後方向に直動可能な押圧ロッド１０５とを備えている。
【０００３】
このカード用コネクタ１０１においては、カードがコネクタ部１０２に挿入されると、コネクタ部１０２を介してカードと回路基板ＰＣＢとが電気的に接続されるようになっている。そして、カードがコネクタ部１０２に挿入された状態で押圧ロッド１０５を前方に直動させると、カムアーム１０４が回動してカードの前端を後方に向けて押圧し、カードをコネクタ部１０２から排出するようになっている。
【０００４】
ところで、近年になって、イジェクト機構を備えた例えば図１７に示したカード用コネクタ１０１が加入者系テレビジョンのセットアップボックスに使用される需要が高まってきた。セットアップボックスにおいては、視聴者の都合により、カード用コネクタ１０１にカードが長時間接続されることがある。カード用コネクタ１０１にカードが長時間接続されると、カードが高温になって動作不良を起こしたりするおそれがあるため、カードの排熱を行う必要が生じてきた。
【０００５】
カードの排熱を行う方法としては、カードにヒートシンクを接触させる方法や排熱ファンによってカードの排熱を行う方法等があるが、排熱ファンによる方法は排熱ファンの回転する音が視聴者にとって耳障りとなるため、セットトップボックスに使用されるカードードの排熱には適していない。
そこで、カードにヒートシンクを接触させる方法によってカードの排熱を行う方法が好ましい。しかし、図１７に示したカード用コネクタ１０１にあっては、カードの排熱を行うことができなかった。
【０００６】
一方、ヒートシンクによって電子部品の排熱を行うＺＩＦ型ＩＣソケットとして、従来、図１８に示すもの（特許文献２参照）が知られている。
このＩＣソケット２０１は、複数のソケットコンタクト２０３をマトリックス状に配列したハウジング２０２と、ハウジング２０２上に移動可能に配置されたスライダ２０７と、ハウジング２０２に回動可能に設けられた部品着脱操作・押付け用部材２０４とを備えている。部品着脱操作・押付け用部材２０４は、ハウジング２０２に回動可能に設けられ、スライダ２０７を移動させる部品着脱操作レバー部２０５と、部品着脱操作レバー部２０５と一体的に設けられ、装着、接続状態の電子部品２１０上に載置されたヒートシンク２２０の上面を押圧する部品押付け部２０６とを備えている。
【０００７】
そして、部品着脱操作レバー部２０５を起立させた状態、すなわちスライダ２０７が電子部品装着可能状態にあるときに、電子部品２１０をスライダ２０７上に装着し、その電子部品２１０の上にヒートシンク２２０を載置する。その後、部品着脱操作レバー部２０５を回動し、係止部２０８に係止する。これにより、スライダ２０７がハウジング２０２上を移動して電子部品２１０に設けられたコンタクト（図示せず）がソケットコンタクト２０２に加圧接触し、このとき同時に部品押付け部２０６がヒートシンク２２０の上面を押圧し、電子部品２１０とヒートシンク２２０とが密着する。これにより、電子部品２１０の排熱を行うことができる。そして、電子部品２１０を取り外す際には、部品着脱操作レバー部２０５を回動して起立させ、ヒートシンク２２０を取り外し、そして電子部品２１０を取り外せばよい。
【特許文献１】特開平６−１５１００４号公報
【特許文献２】特開２００１−２４３７０号公報
【発明の開示】
【発明が解決しようとする課題】
【０００８】
しかしながら、図１８に示すＩＣソケット２０１にあっては、電子部品２０１を着脱する際に作業者がヒートシンク２２０を操作する必要があった。このため、この技術を例えば図１７に示したようなカード用コネクタ１０１に適用すると、消費者（視聴者）がカードのイジェクト操作以外にヒートシンク操作を必要とし、消費者の使用に好適ではなかった。
従って、本発明は上述の問題点に鑑みてなされたものであり、その目的は、消費者のヒートシンク操作を要することなく、ヒートシンクによってカードの排熱を行うことができるカード用コネクタを提供することにある。
【課題を解決するための手段】
【０００９】
上記問題を解決するため、本発明のうち請求項１に係るカード用コネクタは、カードが挿入されるコネクタ部と、該コネクタ部から前記カードを排出するイジェクト機構とを備え、該イジェクト機構が、前記コネクタ部に回動可能に設けられ、前記カードをコネクタ部から排出するカムアームと、前記コネクタ部の一側に設けられると共に前記カムアームに連結され前後方向に直動可能な押圧ロッドとを有し、前記カードの挿入時に前記カムアームが回動して前記押圧ロッドが後退し、前記押圧ロッドの前進時に前記カムアームが回動して前記カードを排出するカード用コネクタにおいて、前記コネクタ部に挿入された前記カードの一面と接触するヒートシンクと、該ヒートシンクを前記カードの前記一面側に付勢するばね手段とを具備し、前記押圧ロッドは、前記カードの挿入時に前記ヒートシンクが前記カードの前記一面から退避するよう作用する第１カム面と、前記カードの排出時に前記ヒートシンクが前記カードの前記一面から退避するよう作用する第２カム面とを有するカム部を有することを特徴としている。
【００１０】
本発明のうち請求項２に係るカード用コネクタは、請求項１記載の発明において、前記カードの挿入時に前記カムアームが回動して前記押圧ロッドが後退し、前記カードの挿入完了後に前記ヒートシンクが前記カム部の前記第２カム面とカム係合して前記カードの前記一面に接触するとともに前記押圧ロッドと前記カムアームとの間に遊びが生じることを特徴としている。
【００１１】
本発明のうち請求項３に係るカード用コネクタは、請求項１又は２記載の発明において、前記ヒートシンクは、前記カード用コネクタの下フレームに上下方向に回動可能に軸支された上フレームに支持されていることを特徴としている。
本発明のうち請求項４に係るカード用コネクタは、請求項３記載の発明において、前記ヒートシンクは、前記上フレームに上下方向に回動可能に支持されていることを特徴としている。
【００１２】
本発明のうち請求項５に係るカード用コネクタは、請求項１又は２記載の発明において、前記押圧ロッドが設けられている側と反対側のコネクタ部の側部に、前後方向に直動可能な第２ロッドが設けられ、該第２ロッドは、前記カードの挿入時に前記ヒートシンクが前記カードの前記一面から退避するよう作用する第１カム面と、前記カードの排出時に前記ヒートシンクが前記カードの前記一面から退避するよう作用する第２カム面とを有する第２カム部を有し、前記押圧ロッド及び前記第２ロッド間を結合するリンクが設けられたことを特徴としている。
【００１３】
本発明のうち請求項６に係るカード用コネクタは、請求項４記載の発明において、前記ヒートシンクが前記カードの前記一面から退避する際に、前記ヒートシンクの片側の上方への移動を制限する制限部が設けられたことを特徴としている。
本発明のうち請求項７に係るカード用コネクタは、請求項６記載の発明において、前記上フレームに、前記ヒートシンクの片側を前記制限部側に向けて付勢するばね手段を設けたことを特徴としている。
本発明のうち請求項８に係るカード用コネクタは、請求項１記載の発明において、前記カードの非挿入時に前記押圧ロッドの後退をロックし、前記カードの挿入時に該カードと係合して前記押圧ロッドのロックを解除するロック部を有することを特徴としている。
【発明の効果】
【００１４】
本発明のうち請求項１に係るカード用コネクタによれば、コネクタ部に挿入されたカードの一面と接触するヒートシンクと、該ヒートシンクを前記カードの前記一面側に付勢するばね手段とを具備しているので、消費者のヒートシンク操作を要することなく、ヒートシンクによってカードの排熱を行うことができる。そして、押圧ロッドは、前記カードの挿入時に前記ヒートシンクが前記カードの前記一面から退避するよう作用する第１カム面と、前記カードの排出時に前記ヒートシンクが前記カードの前記一面から退避するよう作用する第２カム面とを有するカム部を有するので、カードの挿入時及び排出時にカードがヒートシンクに干渉するおそれを回避することができる。
【００１５】
また、本発明のうち請求項２に係るカード用コネクタによれば、請求項１記載の発明において、前記カードの挿入時にカムアームが回動して前記押圧ロッドが後退し、前記カードの挿入完了後に前記ヒートシンクが前記カム部の前記第２カム面とカム係合して前記カードの前記一面に接触するとともに前記押圧ロッドと前記カムアームとの間に遊びが生じるので、カードがコネクタ部に挿入完了した後のみ、ヒートシンクによってカードの排熱を行うことができる。
【００１６】
本発明のうち請求項３に係るカード用コネクタによれば、請求項１又は２記載の発明において、前記ヒートシンクは、前記カード用コネクタの下フレームに上下方向に回動可能に軸支された上フレームに支持されているので、少ない部品点数で効果的にヒートシンクをカードの一面から退避させることができる。
本発明のうち請求項４に係るカード用コネクタによれば、請求項３記載の発明において、前記ヒートシンクは、前記上フレームに上下方向に回動可能に支持されているので、少ない部品点数かつ簡単な構成で効果的にヒートシンクをカードの一面から退避させることができる。
【００１７】
本発明のうち請求項５に係るカード用コネクタによれば、請求項１又は２記載の発明において、前記押圧ロッドが設けられている側と反対側のコネクタ部の側部に、前後方向に直動可能な第２ロッドが設けられ、該第２ロッドは、前記カードの挿入時に前記ヒートシンクが前記カードの前記一面から退避するよう作用する第１カム面と、前記カードの排出時に前記ヒートシンクが前記カードの前記一面から退避するよう作用する第２カム面とを有する第２カム部を有し、前記押圧ロッド及び前記第２ロッド間を結合するリンクが設けられたので、押圧ロッドのカム部と第２ロッドの第２カム部により、カードの挿入時及び排出時にヒートシンクをカードの一面に対して平行に退避させることができ、カードの挿入時及び排出時にカードがヒートシンクに干渉するおそれを確実に回避することができる。
【００１８】
本発明のうち請求項６に係るカード用コネクタによれば、請求項４記載の発明において、前記ヒートシンクが前記カードの前記一面から退避する際に、前記ヒートシンクの片側の上方への移動を制限する制限部が設けられたので、ヒートシンクが上フレームに上下方向に回動可能に支持されていても、ヒートシンクがカードから退避するときにヒートシンクをほぼ水平に保つことができる。
【００１９】
本発明のうち請求項７に係るカード用コネクタによれば、請求項６記載の発明において、前記上フレームに、前記ヒートシンクの片側を前記制限部側に向けて付勢するばね手段を設けたので、ヒートシンクがカードから退避するときにヒートシンクの片側を制限部に位置決めでき、確実にヒートシンクをほぼ水平に保つことができる。
本発明のうち請求項８に係るカード用コネクタによれば、請求項１記載の発明において、前記カードの非挿入時に前記押圧ロッドの後退をロックし、前記カードの挿入時に該カードと係合して前記押圧ロッドのロックを解除するロック部を有するので、カードの非挿入時に押圧ロッドを誤って引っ張ってもその後退を阻止することができ、ヒートシンクのカード側への移動を阻止することができる。
【発明を実施するための最良の形態】
【００２０】
次に本発明の実施形態を図面を参照して説明する。図１は本発明に係るカード用コネクタの第１実施形態を示し、（Ａ）は平面図、（Ｂ）は正面図である。図２は図１のカード用コネクタを示し、（Ａ）は左側面図、（Ｂ）は右側面図、（Ｃ）は背面図である。図３は図１のカード用コネクタを示し、（Ａ）は図１（Ａ）における３Ａ−３Ａ線に沿う断面図、（Ｂ）は図１（Ａ）における３Ｂ−３Ｂ線に沿う断面図である。図４は図１のカード用コネクタの分解斜視図である。図５は図１のカード用コネクタにおいて、カードのヘッダ部に対する挿入位置とヒートシンクのカードに対する上下方向位置との関係を概念的に示す説明図である。図６は図１のカード用コネクタにおいて、カードのヘッダ部に対する挿入位置と、ヒートシンクのカードに対する上下方向位置と、押圧ロッドのカムアームに対する前後方向位置との関係を示す説明図である。
【００２１】
図１乃至図４において、カード用コネクタ１は、カードＣが挿入されるコネクタ部１０と、コネクタ部１０からカードＣを排出するイジェクト機構２０とを備えている。
このうち、コネクタ部１０は、カードＣが挿入され、カードＣのコンタクト（図示せず）が接触する複数のコンタクト（図示せず）を有するヘッダ部１１と、ヘッダ部１１の幅方向（図１（Ａ）における左右方向）の両端部から後方（図１（Ａ）における下方）に延びる１対のガイドアーム部１２，１６とを備えている。各ガイドアーム部１２，１６はその前端部でヘッダ部１１の幅方向両端部に圧入固定される。また、ヘッダ部１１の上面には、グランド板１８が設けられている。
【００２２】
ヘッダ部１１の幅方向片側（図１（Ａ）における左側）のガイドアーム部１２の内側にはカードＣの挿入を案内する案内凹部１３が形成され、その一方、ヘッダ部１１の幅方向反対側のガイドアーム部１６の内側にもカードＣの挿入を案内する案内凹部１７が形成されている。そして、前記片側のガイドアーム部１２の上面の前後方向略中央部には、隆起部１４が突出形成され、その隆起部１４には、上側に開放する案内スリット１５が形成されている。
【００２３】
そして、１対のガイドアーム部１２，１６の下方側を覆うように金属製の中間フレーム３０がガイドアーム部１２，１６に取付けられている。中間フレーム３０の幅方向両端の前端部には、中間フレーム３０の幅方向両端から立ち上り、ガイドアーム部１２，１６に取付けられる断面コ字形の側壁部３１，３２が設けられている。また、中間フレーム３０の幅方向両端の前後方向略中間部には、中間フレーム３０の幅方向両端から立ち上がり、ガイドアーム部１２，１６の外側に位置する側壁３３，３４が設けられている。
【００２４】
また、ヘッダ部１１及び中間フレーム３０の下方側を覆うように金属製の下フレーム４０が設けられている。下フレーム４０の幅方向両端の前端側には、１対の取付ねじ用貫通孔４８が形成され、下フレーム４０は、これら取付ねじ用貫通孔４８を介して取付ねじ４７ａによりヘッダ部１１に取付けられている。また、下フレーム４０の幅方向両端の前後方向略中間部には、１対のブラケット４３が取付ねじ４７ｂにより取付けられている。下フレーム４０は、これらブラケット４３を中間フレーム３０の側壁３３，３４に外側から取付けることにより、中間フレーム３０に取付けられている。下フレーム４０の幅方向片端の前方側及び後方側には、下フレーム４０から立ち上がる断面コ字形の案内側壁部４１，４２が設けられている。また、下フレーム４０の幅方向他端の前方側及び後端には、下フレーム４０から立ち上がる支持側壁部４４，４５が設けられている。各支持側壁部４４，４５には、前後方向に延びるスリット４４ａ，４５ａが形成されている。そして、下フレーム４０の幅方向片端の案内側壁部４１，４２間には、複数のばね係止片４６が設けられている。また、下フレーム４０の幅方向他端の支持側壁部４４，４５間には、ストッパ４５ｃが立設されている。そして、下フレーム４０の幅方向両端の前端及び後端には、２対の取付ねじ孔４９が設けられ、下フレーム４０は、これら取付ねじ孔４９に取付ねじ（図示せず）を螺合することにより回路基板（図示せず）上に実装されるようになっている。
【００２５】
また、イジェクト機構２０は、ヘッダ部１１に回動可能に設けられたカムアーム２１と、コネクタ部１０のガイドアーム１２の外側に設けられた押圧ロッド２４とを備えている。
カムアーム２１は、一端２２が押圧ロッド２４側に他端２３が反対側に配置されてヘッダ部１１に回動可能に配置されている。そして、カムアーム２１の他端２３が、挿入されたカードＣの前端部を押圧してカードＣをコネクタ部１０から排出するようになっている。
【００２６】
押圧ロッド２４は、その前方側に前後方向に延びる第１スリット２４ａを、後方側に前後方向に延びる第２スリット２４ｂを有し、それら第１及び第２スリット２４ａ、２４ｂが下フレーム４０の案内側壁部４１，４２に案内支持されて、前後方向に直動可能となっている。押圧ロッド２４の前端２７はカムアーム２１の一端２２に連結され、カードＣの挿入時にカムアーム２１が回動して押圧ロッド２４が後退し、押圧ロッド２４の前進時にカムアーム２１が回動してカードＣを排出するようになっている。押圧ロッド２４の後端には、操作部２９が取付けられている。また、押圧ロッド２４の上端の前後方向略中央部には、カム部２５が立設されている。このカム部２５は、カードＣの挿入時に後述するヒートシンク７０がカードＣの上面から退避するよう作用する第１カム面２６ａを上面に有し、カードＣの排出時にヒートシンク７０がカードＣの表面から退避するよう作用する第２カム面２６ｂとを有する。第２カム面２６ｂは、カム部２５の前端面を傾斜面とすることにより形成されている。
【００２７】
そして、１対のガイドアーム部１２，１６の上方側には、ヘッダ部１１に挿入されたカードＣの上面と接触するヒートシンク７０が設けられている。このヒートシンク７０は、複数の放熱突起７２を上面に有する略矩形状体で、周囲にフランジ７１を有する。ヒートシンク７０の下面には、熱伝導シート７３（図６参照）が貼付されている。ヒートシンク７０は、下フレーム４０に上下方向に回動可能に軸支された上フレーム５０に支持されている。
【００２８】
上フレーム５０は、中空の枠状体で、断面Ｌ字形の前枠部５３、後枠部５４、前枠部５３の右端及び後枠部５４の右端（図１（Ａ）における右端）を連結する右枠部５２及び前枠部５３の左端及び後枠部５４の左端を連結する左枠部５１を備えている。前枠部５３の上壁及び後枠部５４の上壁の幅方向中央部には、下方に突出するように湾曲する支持湾曲部５３ａ、５４ａが形成され、前枠部５３及び後枠部５４の下端の幅方向略中央部には、支持湾曲部５３ａ、５４ａに対向する支持片５３ｂ、５４ｂ（図３参照）が形成されている。ヒートシンク７０のフランジ部７１が、前枠部５３及び後壁部５４の支持湾曲部５３ａ、５４ａと  前枠部５３及び後壁部５４の支持片５３ｂ、５４ｂとの間に配置されて、ヒートシンク７０は、支持湾曲部５３ａ、５４ａを略中心として上下方向に回動可能に上フレーム５０に支持されている。上フレーム５０の右枠部５２には、下フレーム４０に設けられた支持側壁部４４，４５のスリット４４ａ，４５ａに入り込んで上フレーム５０を回動可能に支持する回動支持部５５ａ，５５ｂが設けられている。また、上フレーム５０の左枠部５１には、その上端から外側に折り曲げられた舌片部５９が設けられ、舌片部５９には、複数のばね係止片６０が設けられている。そして、上フレーム５０の左枠部５１には、支軸５７が固定され、この支軸５７の外周であって左枠部５１の外側部分にカムローラ５８が回動可能に軸支されている。
【００２９】
そして、下フレーム４０のばね係止片４６と上フレーム５０のばね係止片６０とに上フレーム５０を回動支持部５５ａ，５５ｂを略中心として下方向に回動させる引張ばね（ばね手段）６１のフック部が係止される。この結果、上フレーム５０に支持されたヒートシンク７０も下方向に向けて回動する。この際に、支軸５７の上フレーム５０より内側の部分がガイドアーム部１２に設けられた案内スリット１５に案内されて下方に移動する。そして、ヘッダ部１１にカードＣが挿入されているときにはヒートシンク７０の下面の熱伝導シート７３がカードＣの上面に接触することになる。ただし、ヘッダ部１１にカードＣが挿入されていないときには、図６（Ａ）に示すように、カムローラ５８がカム部２５の第１カム面２６ａ上に位置し、カードＣの挿入を行える空間が確保される。なお、上フレーム５０の右枠部５２には、外方に向けて突出するストッパ片５６が設けられ、このストッパ片５６が下フレーム４０のストッパ４５ｃの上端に当接することにより、上フレーム５０の右枠部５２の下方への回動が規制されるようになっている。
【００３０】
次に、図５及び図６を参照して、カードＣの挿入及び排出に伴う作用について説明する。
先ず、カードＣが挿入されていないときには、図５（Ａ）及び図６（Ａ）に示すように、押圧ロッド２４が最も前進した位置にあり、押圧ロッド２４の前端２７がカムアーム２１の一端２２に当接してカムアーム２１の他端２３が最も後退した位置にある。この状態では、カムローラ５８がカム部２５の第１カム面２６ａ上に位置し、図５（Ａ）に示すように、カードＣの上面とヒートシンク７０の下面との隙間がｄ1 となるような空間が確保される。
【００３１】
そして、カードＣが図５（Ｂ）に示すようにヘッダ部１１のコンタクトと接触する位置まで挿入されると、カードＣの前端がカムアーム２１の他端２３を押圧し、カムアーム２１が回動して、図６（Ｂ）に示すように、押圧ロッド２４が若干後退する。このとき、カムローラ５８はカム部２５の第１カム面２６ａ上に未だに位置し、図５（Ｂ）に示すように、カードＣの上面とヒートシンク７０の下面との隙間が未だｄ1 となっている。従って、カードＣがヒートシンク７０に干渉せずカードＣの挿入は妨げられない。このため、ヒートシンク７０の下面に設けられた熱伝導シート７３がカードＣの挿入時に外れない。
【００３２】
次いで、カードＣが図５（Ｃ）に示すようにヘッダ部１１の手前の位置まで挿入されると、カードＣの前端がカムアーム２１の他端２３を更に押圧し、カムアーム２１が回動して、図６（Ｃ）に示すように、押圧ロッド２４が更に後退する。このとき、カムローラ５８はカム部２５の第１カム面２６ａと第２カム面２６ｂとの境の位置上に位置し、図５（Ｃ）に示すように、カードＣの上面とヒートシンク７０の下面との隙間が未だｄ1 となっている。従って、カードＣがヒートシンク７０に干渉せずカードＣの挿入は妨げられない。このため、ヒートシンク７０の下面に設けられた熱伝導シート７３がカードＣの挿入時に外れない。
【００３３】
そして、カードＣが図５（Ｄ）に示すようにヘッダ部１１に対して完全に挿入されると、カードＣの前端がカムアーム２１の他端２３を更に押圧し、カムアーム２１が回動して、図６（Ｄ）に示すように、押圧ロッド２４が更に後退する。このとき、カムローラ５８はカム部２５の第２カム面２６ｂの上方よりの位置上に位置してカム係合し、図５（Ｄ）に示すように、カードＣの上面とヒートシンク７０の下面との隙間が若干小さくなってｄ2 となる。
【００３４】
その後、図６（Ｅ）に示すように、引張ばね６１の作用により上フレーム５０及びヒートシンク７０が下方向に向けて回動し、カムローラ５８の下降に伴って第２カム面２６ｂを介して押圧ロッド２４のみが後退し、図５（Ｅ）に示すように、ヒートシンク７０の下面、正確にはヒートシンク７０の下面に貼付された熱伝導シート７３の下面がカードＣの表面に接触する。これにより、カードＣの排熱を行うことができる。このため、消費者のヒートシンク操作を要することなく、ヒートシンク７０によってカードＣの排熱を行うことができる。
そして、押圧ロッド２４のみが後退することで、図６（Ｅ）に示すように、押圧ロッド２４の前端２７とカムアーム２１の一端２２との間に遊びδが生じる。このため、カードＣがヘッダ部１１に挿入完了した後のみ、ヒートシンク７０によってカードＣの排熱を行うことができる。
【００３５】
一方、挿入されたカードＣを排出するときには、押圧ロッド２４を図６（Ｅ）に示す状態から前進させる。すると、押圧ロッド２４の第２カム面２６ｂに沿ってカムローラ５８が上昇し、上フレーム５０及びヒートシンク７０が上方向に回動する。押圧ロッド２４の前端２７が図６（Ｄ）に示すようにカムアーム２１の一端２２に当接するまで押し込むと、図５（Ｄ）に示すように、カードＣの上面とヒートシンク７０の下面 (正確にはヒートシンク７０の下面に設けられた熱伝導シート７３の下面）との隙間がｄ2 となる。図６（Ｅ）から図６（Ｄ）に至る間の過程では、図６（Ｅ）の状態で押圧ロッド２４の前端２７とカムアーム２１の一端２２との間に遊びδがあるため、押圧ロッド２４の前端２７がカムアーム２１の一端２２に当接せず、ヒートシンク７０がカードＣの上面から退避しない。
【００３６】
そして、図６（Ｄ）に示す状態から図６（Ｃ）に示す状態まで押圧ロッド２４を前進させると、押圧ロッド２４の前端２７がカムアーム２１の一端２２を押圧してカムアーム２１が回動し、図５（Ｃ）に示すように、カードＣの前端がヘッダ部１１の手前位置まで後退する。このとき、カムローラ５８は押圧ロッド２４の第２カム面２６ｂに沿って上昇し、第１カム面２６ａと第２カム面２６ｂとの境の位置上に位置する。これにより、図５（Ｃ）に示すように、カードＣの上面とヒートシンク７０の下面との隙間がｄ1 に広がる。このため、カードＣがヒートシンク７０に干渉せず、カードＣの排出は妨げられない。このため、ヒートシンク７０の下面に設けられた熱伝導シート７３がカードＣの排出時に外れない。
【００３７】
そして、図６（Ｃ）に示す状態から図６（Ｂ）に示す状態まで押圧ロッド２４を前進させると、押圧ロッド２４の前端２７がカムアーム２１の一端２２を更に押圧してカムアーム２１が回動し、図５（Ｂ）に示すように、カードＣの前端がヘッダ部１１のコンタクトの先端と接触する位置まで後退する。このとき、カムローラ５８はカム部２５の第１カム面２６ａ上に位置し、図５（Ｂ）に示すように、カードＣの上面とヒートシンク７０の下面との隙間がｄ1 に維持される。従って、カードＣがヒートシンク７０に干渉せずカードＣの排出は妨げられない。このため、ヒートシンク７０の下面に設けられた熱伝導シート７３がカードＣの排出時に外れない。
【００３８】
そして、図６（Ｂ）に示す状態から図６（Ａ）に示す状態まで押圧ロッド２４を前進させると押圧ロッド２４が最も前進した位置となり、押圧ロッド２４の前端２７がカムアーム２１の一端２２を更に押圧してカムアーム２１が回動し、図５（Ａ）に示すように、カードＣの前端がヘッダ部１１のコンタクトの先端と完全に離れた位置まで後退し、カードＣを排出する。この状態では、カムローラ５８がカム部２５の第１カム面２６ａ上に位置し、図５（Ａ）に示すように、カードＣの上面とヒートシンク７０の下面との隙間がｄ1 に維持される。従って、カードＣがヒートシンク７０に干渉せずカードＣの排出は妨げられない。このため、ヒートシンク７０の下面に設けられた熱伝導シート７３がカードＣの排出時に外れない。そして、カードＣの排出に際し、消費者のヒートシンク取り外し操作を必要としない。
【００３９】
ここで、ヒートシンク７０は、下フレーム４０に上下方向に回動可能に軸支された上フレーム５０に支持されているので、少ない部品点数で効果的にヒートシンク７０をカードＣの上面から退避させることができる。
また、ヒートシンク７０は、上フレーム５０に上下方向に回動可能に支持されているので、少ない部品点数かつ簡単な構成で効果的にヒートシンク７０をカードＣの上面から退避させることができる。
【００４０】
次に、本発明に係るカード用コネクタの第２実施形態を図７乃至図１１を参照して説明する。図７は本発明に係るカード用コネクタの第２実施形態の斜視図である。図８は図７に示すカード用コネクタからヒートシンク、上フレーム、及び中間フレームを取り除いた状態の斜視図である。図９は図７のカード用コネクタの平面図であり、（Ａ）はカードをヘッダ部に挿入する前の平面図、（Ｂ）はカードをヘッダ部に挿入した後の平面図である。図１０は図７のカード用コネクタの左側面図であり、（Ａ）はカードをヘッダ部に挿入する前の左側面図、（Ｂ）はカードをヘッダ部に挿入した後の左側面図である。図１１は図７のカード用コネクタの右側面図であり、（Ａ）はカードをヘッダ部に挿入する前の右側面図、（Ｂ）はカードをヘッダ部に挿入した後の右側面図である。
【００４１】
図７乃至図１１において、カード用コネクタ１は、カードＣが挿入されるコネクタ部１０と、コネクタ部１０からカードＣを排出するイジェクト機構２０とを備えている。
このうち、コネクタ部１０は、カードＣが挿入され、カードＣのコンタクト（図示せず）が接触する複数のコンタクト（図示せず）を有するヘッダ部１１と、ヘッダ部１１の幅方向（図９（Ａ）における左右方向）の両端部から後方（図９（Ａ）における下方）に延びる１対のガイドアーム部１２，１６とを備えている。各ガイドアーム部１２，１６はその前端部でヘッダ部１１の幅方向両端部に圧入固定される。また、ヘッダ部１１の上面には、グランド板１８が設けられている。
【００４２】
図８に示すように、ヘッダ部１１の幅方向片側（図９（Ａ）における左側）のガイドアーム部１２の内側にはカードＣの挿入を案内する案内凹部１３が形成され、その一方、ヘッダ部１１の幅方向反対側のガイドアーム部１６の内側にもカードＣの挿入を案内する案内凹部１７が形成されている。そして、前記片側のガイドアーム部１２の上面の前後方向略中央部には、隆起部１４ａが突出形成され、その隆起部１４ａには、上側に開放する案内スリット１５ａが形成されている。また、図１に示すカード用コネクタ１と異なり、前記反対側のガイドアーム部１６の上面の前方側及び後方側にも、隆起部１４ｂ，１４ｃが突出形成され、それら隆起部１４ｂ，１４ｃには、上側に開放する案内スリット１５ｂ、１５ｃが形成されている。
そして、１対のガイドアーム部１２，１６の下方側を覆うように金属製の中間フレーム３０がガイドアーム部１２，１６に取付けられている。
【００４３】
また、ヘッダ部１１及び中間フレーム３０の下方側を覆うように金属製の下フレーム４０が設けられている。下フレーム４０の幅方向両端の前後方向略中間部には、１対のブラケット４３が取付ねじにより取付けられている。また、下フレーム４０の幅方向片端の前方側及び後方側には、下フレーム４０から立ち上がる断面コ字形の案内側壁部４１ａ，４２ａが設けられている。また、下フレーム４０の幅方向他端の前方側及び後端にも、下フレーム４０から立ち上がる断面コ字形の案内側壁部４１ｂ，４２ｂが設けられている。そして、下フレーム４０の幅方向片端の案内側壁部４１ａ，４２ａの近傍には、ばね係止片４６ａ，４６ｂが設けられ、下フレーム４０の幅方向反対側の案内側壁部４１ｂ，４２ｂの近傍には、ばね係止片４６ｃ，４６ｄが設けられている。下フレーム４０は、回路基板（図示せず）上に実装されるようになっている。
【００４４】
また、イジェクト機構２０は、ヘッダ部１１に回動可能に設けられたカムアーム２１と、コネクタ部１０のガイドアーム１２の外側に設けられた押圧ロッド２４とを備えている。
カムアーム２１は、一端２２が押圧ロッド２４側に他端が反対側に配置されてヘッダ部１１に回動可能に配置されている。そして、カムアーム２１の他端が、挿入されたカードＣの前端部を押圧してカードＣをコネクタ部１０から排出するようになっている。
【００４５】
押圧ロッド２４は、その前方側に前後方向に延びる第１スリット２４ａを、後方側に前後方向に延びる第２スリット２４ｂを有し、それら第１及び第２スリット２４ａ、２４ｂが下フレーム４０の案内側壁部４１ａ，４２ａに案内支持されて、前後方向に直動可能となっている。押圧ロッド２４の前端２７はカムアーム２１の一端２２に連結され、カードＣの挿入時にカムアーム２１が回動して押圧ロッド２４が後退し、押圧ロッド２４の前進時にカムアーム２１が回動してカードＣを排出するようになっている。押圧ロッド２４の後端には、操作部２９が取付けられている。また、押圧ロッド２４の上端の前後方向略中央部には、カム部２５が立設されている。このカム部２５は、カードＣの挿入時に後述するヒートシンク７０がカードＣの上面から退避するよう作用する第１カム面２６ａを上面に有し、カードＣの排出時にヒートシンク７０がカードＣの表面から退避するよう作用する第２カム面２６ｂとを有する。第２カム面２６ｂは、カム部２５の前端面を傾斜面とすることにより形成されている。
【００４６】
また、図８に示すように、押圧ロッド２４が設けられている側と反対側のコネクタ部１０の側部、即ちガイドアーム部１６の外側に、前後方向に直動可能な第２ロッド３６が設けられている。第２ロッド３６は、その前方側に前後方向に延びる第１スリット３６ａを、後方側に前後方向に延びる第２スリット３６ｂを有し、それら第１及び第２スリット３６ａ、３６ｂが下フレーム４０の案内側壁部４１ｂ，４２ｂに案内支持されて、前後方向に直動可能となっている。また、第２ロッド３６の上端の前方側及び後方側には、第２カム部３７ａ，３７ｂが立設されている。これら第２カム部３７ａ，３７ｂは、カードＣの挿入時に後述するヒートシンク７０がカードＣの上面から退避するよう作用する第１カム面３８ａａ，３８ｂａを上面に有し、カードＣの排出時にヒートシンク７０がカードＣの表面から退避するよう作用する第２カム面３８ａｂ，３８ｂｂを有する。第２カム面３８ａｂ，３８ｂｂは、第２カム部３７ａ，３７ｂの後端面を傾斜面とすることにより形成されている。
【００４７】
そして、押圧ロッド２４及び第２ロッド３６は、リンク３５により結合されている。リンク３５は、下フレーム４０の幅方向略中央部に設けられたボス部４０ａを中心として回動可能に設けられ、一端が押圧ロッド２４の係止部２８により係止固定され、他端が第２ロッド３６の係止部３９により係止固定されている。このため、押圧ロッド２４が前進すると、リンク３５の一端が前方に他端が後方になるようにリンク３５が回動し、第２ロッド３６が後退するようになっている。逆に、押圧ロッド２４が後退すると、リンク３５の一端が後方に他端が前方になるようにリンク３５が回動し、第２ロッド３６が前進するようになっている。
【００４８】
そして、１対のガイドアーム部１２，１６の上方側には、ヘッダ部１１に挿入されたカードＣの上面と接触するヒートシンク７０が設けられている。このヒートシンク７０は、複数の放熱突起７２を上面に有する略矩形状体で、周囲にフランジ（図示せず）を有する。ヒートシンク７０の下面には、熱伝導シート７３が貼付されている。ヒートシンク７０は、上フレーム５０に支持されている。
【００４９】
上フレーム５０は、中空の枠状体で、断面Ｌ字形の前枠部５３、後枠部５４、前枠部５３の右端及び後枠部５４の右端（図９（Ａ）における右端）を連結する右枠部５２及び前枠部５３の左端及び後枠部５４の左端を連結する左枠部５１を備えている。前枠部５３の上壁及び後枠部５４の上壁の幅方向両側には、下方に突出するように湾曲する１対の支持湾曲部５３ａ，５３ａ、５４ａ，５４ａが形成され、前枠部５３及び後枠部５４の下端の幅方向略中央部には、支持片５３ｂ、５４ｂ（５４ｂのみ図示）が形成されている。ヒートシンク７０のフランジ部が、前枠部５３及び後壁部５４の支持湾曲部５３ａ，５３ａ、５４ａ，５４ａと  前枠部５３及び後壁部５４の支持片５３ｂ、５４ｂとの間に配置されて上フレーム５０に支持されている。また、上フレーム５０の左枠部５１の前方側及び後方側には、１対のばね係止片６０ａ，６０ｂが設けられ、右枠部５２の前方側及び後方側には、１対のばね係止片６０ｃ，６０ｄが設けられている。そして、上フレーム５０の左枠部５１には、支軸５７ａが固定され、この支軸５７ａの外周であって左枠部５１の外側部分にカムローラ５８ａが回動可能に軸支されている。また、上フレーム５０の右枠部５２の前方側及び後方側には、支軸５７ｂ，５７ｃが固定され、この支軸５７ｂ，５７ｃの外周であって右枠部５２の外側部分にカムローラ５８ｂ，５８ｃが回動可能に軸支されている。
【００５０】
そして、下フレーム４０のばね係止片４６ａ，４６ｂと上フレーム５０のばね係止片６０ａ，６０ｂとに上フレーム５０を下方に付勢する引張ばね６１ａ，６１ｂのフック部が係止され、下フレーム４０のばね係止片４６ｃ，４６ｃと上フレーム５０のばね係止片６０ｃ，６０ｄとに上フレーム５０を下方に付勢する引張ばね６１ｃ，６１ｄのフック部が係止される。この結果、上フレーム５０に支持されたヒートシンク７０も下方向に向けて付勢される。この際に、支軸５７ａの上フレーム５０より内側の部分がガイドアーム部１２に設けられた案内スリット１５ａに案内されて下方に移動し、支軸５７ｂ，５７ｃの上フレーム５０より内側の部分がガイドアーム部１６に設けられた案内スリット１５ａ，１５ｃに案内されて下方に移動する。そして、ヘッダ部１１にカードＣが挿入されているときにはヒートシンク７０の下面の熱伝導シート７３がカードＣの上面に接触することになる。ただし、ヘッダ部１１にカードＣが挿入されていないときには、図１０（Ａ）に示すように、カムローラ５８ａがカム部２５の第１カム面２６ａ上に位置し、図１１（Ａ）に示すように、カムローラ５８ｂ、５８ｃが第２カム部３７ａ，３７ｂの第１カム面３８ａａ，３８ｂａ上に位置し、カードＣの挿入を行える空間が確保される。
【００５１】
次に、図１０及び図１１を参照して、カードＣの挿入及び排出に伴う作用について説明する。
先ず、カードＣがヘッダ部１１挿入されていないときには、図１０（Ａ）に示すように、押圧ロッド２４が最も前進した位置にあり、押圧ロッド２４の前端２７がカムアーム２１の一端２２に当接してカムアーム２１の他端が最も後退した位置にある。その一方、図１１（Ａ）に示すように、第２ロッド３６が最も後退した位置にある。この状態では、カムローラ５８ａがカム部２５の第１カム面２６ａ上に位置し、かつ、カムローラ５８ｂ、５８ｃが第２カム部３７ａ，３７ｂの第１カム面３８ａａ，３８ｂａ上に位置し、カードＣの上面とヒートシンク７０の下面との隙間が図５（Ａ）に示すｄ1 と同じになるような空間が確保される。押圧ロッド２４のカム部２５と第２ロッド３６の第２カム部３７ａ，３７ｂにより、カードＣの挿入時にヒートシンク７０をカードＣの上面に対して平行に退避させることができ、カードＣの挿入時にカードＣがヒートシンク７０に干渉するおそれを確実に回避することができる。
【００５２】
そして、カードＣがヘッダ部１１のコンタクトと接触する位置まで挿入されると、カードＣの前端がカムアーム２１の他端を押圧し、カムアーム２１が回動して、押圧ロッド２４が若干後退する。これに伴って、リンク３５の一端が後方に他端が前方になるようにリンク３５が回動し、第２ロッド３６が若干前進する。このとき、カムローラ５８ａはカム部２５の第１カム面２６ａ上に未だに位置し、カムローラ５８ｂ、５８ｃも第２カム部３７ａ，３７ｂの第１カム面３８ａａ，３８ｂａ上に未だに位置する。従って、カードＣの上面とヒートシンク７０の下面との隙間が未だｄ1 と同じになっている。従って、カードＣがヒートシンク７０に干渉せずカードＣの挿入は妨げられない。このため、ヒートシンク７０の下面に設けられた熱伝導シート７３がカードＣの挿入時に外れない。
【００５３】
次いで、カードＣがヘッダ部１１の手前の位置まで挿入されると、カードＣの前端がカムアーム２１の他端を更に押圧し、カムアーム２１が回動して押圧ロッド２４が更に後退する。これに伴って、リンク３５が更に回動し、第２ロッド３６が更に前進する。このとき、カムローラ５８ａはカム部２５の第１カム面２６ａと第２カム面２６ｂとの境の位置上に位置し、また、カムローラ５８ｂ、５８ｃも第２カム部３７ａ，３７ｂの第１カム面３８ａａ，３８ｂａと第２カム面３８ａｂ，３８ｂｂとの境の位置上に位置する。従って、カードＣの上面とヒートシンク７０の下面との隙間が未だｄ1 となっている。従って、カードＣがヒートシンク７０に干渉せずカードＣの挿入は妨げられない。このため、ヒートシンク７０の下面に設けられた熱伝導シート７３がカードＣの挿入時に外れない。
【００５４】
そして、カードＣがヘッダ部１１に対して完全に挿入されると、カードＣの前端がカムアーム２１の他端を更に押圧し、カムアーム２１が回動して、押圧ロッド２４が更に後退する。これに伴って、リンク３５が更に回動し、第２ロッド３６が更に前進する。このとき、カムローラ５８ａはカム部２５の第２カム面２６ｂの上方よりの位置上に位置してカム係合し、また、カムローラ５８ｂ、５８ｃも第２カム部３７ａ，３７ｂの第２カム面３８ａｂ，３８ｂｂの上方よりの位置上に位置する。従って、カードＣの上面とヒートシンク７０の下面との隙間が若干小さくなって図５（Ｄ）に示すｄ2 と同じになる。
【００５５】
その後、引張ばね６１ａ，６１ｂ，６１ｃ，６１ｄの作用により上フレーム５０及びヒートシンク７０が下降し、図１０（Ｂ）に示すように、カムローラ５８ａの下降に伴って第２カム面２６ｂを介して押圧ロッド２４が後退し、また、図１１（Ｂ）に示すように、カムローラ５８ｂ、５８ｃの下降に伴って第２カム面３８ａｂ，３８ｂｂを介して第２ロッド３６が前進する。これにより、ヒートシンク７０の下面、正確にはヒートシンク７０の下面に貼付された熱伝導シート７３の下面がカードＣの表面に接触する。これにより、カードＣの排熱を行うことができる。このため、消費者のヒートシンク操作を要することなく、ヒートシンク７０によってカードＣの排熱を行うことができる。
【００５６】
そして、押圧ロッド２４が後退することで、図１０（Ｂ）に示すように、押圧ロッド２４の前端２７とカムアーム２１の一端２２との間に遊びδが生じる。このため、カードＣがヘッダ部１１に挿入完了した後のみ、ヒートシンク７０によってカードＣの排熱を行うことができる。
一方、挿入されたカードＣを排出するときには、押圧ロッド２４を図１０（Ｂ）に示す状態から前進させる。すると、押圧ロッド２４の第２カム面２６ｂに沿ってカムローラ５８ａが上昇し、また、第２ロッド３６が後退して第２ロッド３６の第２カム面３８ａｂ，３８ｂｂに沿ってカムローラ５８ｂ、５８ｃが上昇する。これにより、上フレーム５０及びヒートシンク７０が上昇する。押圧ロッド２４の前端２７がカムアーム２１の一端２２に当接するまで押し込むと、カードＣの上面とヒートシンク７０の下面 (正確にはヒートシンク７０の下面に設けられた熱伝導シート７３の下面）との隙間が図５（Ｄ）に示すｄ2 と同じになる。
【００５７】
そして、押圧ロッド２４を更に前進させると、押圧ロッド２４の前端２７がカムアーム２１の一端２２を押圧してカムアーム２１が回動し、カードＣの前端がヘッダ部１１の手前位置まで後退する。これに伴って、第２ロッドが更に後退する。このとき、カムローラ５８ａは押圧ロッド２４の第２カム面２６ｂに沿って上昇し、第１カム面２６ａと第２カム面２６ｂとの境の位置上に位置する。また、カムローラ５８ｂ、５８ｃも第２ロッド３６の第２カム面３８ａｂ，３８ｂｂに沿って上昇し、第１カム面３８ａａ，３８ｂａと第２カム面３８ａｂ，３８ｂｂとの境の位置上に位置する。これにより、カードＣの上面とヒートシンク７０の下面との隙間が図５（Ｃ）に示すｄ1 と同じ隙間に広がる。このため、カードＣがヒートシンク７０に干渉せず、カードＣの排出は妨げられない。このため、ヒートシンク７０の下面に設けられた熱伝導シート７３がカードＣの排出時に外れない。
【００５８】
そして、押圧ロッド２４を更に前進させると、押圧ロッド２４の前端２７がカムアーム２１の一端２２を更に押圧してカムアーム２１が回動し、カードＣの前端がヘッダ部１１のコンタクトの先端と接触する位置まで後退する。これに伴って第２ロッド３６が更に後退する。このとき、カムローラ５８ａはカム部２５の第１カム面２６ａ上に位置し、また、カムローラ５８ｂ、５８ｃも第２カム部３７ａ，３７ｂの第１カム面３８ａａ，３８ｂａ上に位置する。このため、カードＣの上面とヒートシンク７０の下面との隙間がｄ1 に維持される。従って、カードＣがヒートシンク７０に干渉せずカードＣの排出は妨げられない。このため、ヒートシンク７０の下面に設けられた熱伝導シート７３がカードＣの排出時に外れない。
【００５９】
そして、押圧ロッド２４を更に前進させると、押圧ロッド２４が最も前進した位置となり、押圧ロッド２４の前端２７がカムアーム２１の一端２２を更に押圧してカムアーム２１が回動し、図１０（Ａ）に示すように、カードＣの前端がヘッダ部１１のコンタクトの先端と完全に離れた位置まで後退し、カードＣを排出する。これに伴って、第２ロッド３６も図１１（Ａ）に示すように最も後退した位置となる。この状態では、カムローラ５８ａがカム部２５の第１カム面２６ａ上に位置し、また、カムローラ５８ｂ、５８ｃも第２カム部３７ａ，３７ｂの第１カム面３８ａａ，３８ｂａ上に位置する。このため、カードＣの上面とヒートシンク７０の下面との隙間がｄ1 に維持される。従って、カードＣがヒートシンク７０に干渉せずカードＣの排出は妨げられない。このため、ヒートシンク７０の下面に設けられた熱伝導シート７３がカードＣの排出時に外れない。そして、カードＣの排出に際し、消費者のヒートシンク取り外し操作を必要としない。
ここで、押圧ロッド２４のカム部２５と第２ロッド３６の第２カム部３７ａ，３７ｂにより、カードＣの排出時にヒートシンク７０をカードＣの上面に対して平行に退避させることができ、カードＣの挿入時にカードＣがヒートシンク７０に干渉するおそれを確実に回避することができる。
【００６０】
次に、本発明に係るカード用コネクタの第３実施形態を図１２乃至図１６を参照して説明する。図１２は本発明に係るカード用コネクタの第３実施形態を正面側右斜め上方から見た斜視図である。図１３は本発明に係るカード用コネクタの第３実施形態を正面側左斜め上方から見た斜視図である。図１４は図１２のカード用コネクタの分解斜視図である。図１５は図１２のカード用コネクタにおいて、カードのヘッダ部に対する挿入位置と、ヒートシンクのカードに対する上下方向位置と、押圧ロッドのカムアームに対する前後方向位置との関係を示す説明図である。図１６は図１５に対応した押圧ロッドのカムアームに対する前後方向位置を平面側から見た図である。
【００６１】
図１２乃至図１６において、カード用コネクタ１は、カードＣが挿入されるコネクタ部１０と、コネクタ部１０からカードＣを排出するイジェクト機構２０とを備えている。
このうち、コネクタ部１０は、カードＣが挿入され、カードＣのコンタクト（図示せず）が接触する複数のコンタクト（図示せず）を有するヘッダ部１１と、ヘッダ部１１の幅方向（図１２）における左右方向）の両端部から後方（図１２における下方）に延びる１対のガイドアーム部１２，１６とを備えている。各ガイドアーム部１２，１６はその前端部でヘッダ部１１の幅方向両端部に圧入固定される。また、ヘッダ部１１の上面には、グランド板１８が設けられている。
【００６２】
ヘッダ部１１の幅方向片側（図１２における左側）のガイドアーム部１２の内側にはカードＣの挿入を案内する案内凹部１３が形成され、その一方、ヘッダ部１１の幅方向反対側のガイドアーム部１６の内側にもカードＣの挿入を案内する案内凹部１７が形成されている。そして、前記片側のガイドアーム部１２の上面の前後方向略中央部には、隆起部１４が突出形成され、その隆起部１４には、上側に開放する案内スリット１５が形成されている。また、ガイドアーム部１２の上面の隆起部１４の前方には、図１に示すカード用コネクタ１と異なり、ヒートシンク７０がカードＣの上面から退避する際に、ヒートシンク７０の片側の上方への移動を制限する制限部１８が設けられている。制限部１８は、ガイドアーム部１２の上面から立ち上がる起立部１８ａと、起立部１８ａから内側に延び、ヒートシンク７０のフランジ部７１の上方に位置する規制片１８ｂとで構成されている。
【００６３】
そして、１対のガイドアーム部１２，１６の下方側を覆うように金属製の中間フレーム３０がガイドアーム部１２，１６に取付けられている。中間フレーム３０の幅方向両端の前端部には、中間フレーム３０の幅方向両端から立ち上り、ガイドアーム部１２，１６に取付けられる断面コ字形の側壁部３１，３２が設けられている。また、中間フレーム３０の幅方向両端の前後方向略中間部には、中間フレーム３０の幅方向両端から立ち上がり、ガイドアーム部１２，１６の外側に位置する側壁３３，３４が設けられている。そして、中間フレーム３０の幅方向のガイドアーム１２側端部であって側壁部３１の後方には、カードＣの非挿入時に押圧ロッド２４の後退をロックし、カードＣの挿入時にカードＣと係合して押圧ロッド２４のロックを解除するロック部８０が設けられている。ロック部８０は、中間フレーム３０の幅方向のガイドアーム１２側端部から延び、カードＣの挿入時にカードＣと係合して押圧ロッド２４のロックを解除する解除片部８１と、解除片部８１に連続し、カードＣの非挿入時に押圧ロッド２４のロック突起９０に係合して押圧ロッド２４の後退をロックするロック片部８２とを備えている。
【００６４】
また、ヘッダ部１１及び中間フレーム３０の下方側を覆うように金属製の下フレーム４０が設けられている。下フレーム４０の幅方向両端の前後方向略中間部には、１対のブラケット４３が取付ねじ４７ｂにより取付けられている。下フレーム４０は、これらブラケット４３を中間フレーム３０の側壁３３，３４に外側から取付けることにより、中間フレーム３０に取付けられている。下フレーム４０の幅方向片端（ガイドアーム１２側）の前方側及び後方側には、下フレーム４０から立ち上がる断面コ字形の案内側壁部４１，４２が設けられている。また、下フレーム４０の幅方向他端の前方側及び後端には、下フレーム４０から立ち上がる支持側壁部４４，４５が設けられている。各支持側壁部４４，４５には、前後方向に延びるスリット４４ａ，４５ａが形成されている。下フレーム４０の幅方向他端であって支持側壁部４４，４５間には、下フレーム４０から立ち上がるストッパ８４が設けられている。そして、下フレーム４０の幅方向片端の案内側壁部４１の前方側にはばね係止片４６ａが設けられ、案内側壁部４２の直ぐ前側には別個のばね係止片４６ｂが設けられている。また、下フレーム４０の幅方向両端の前端及び後端には、２対の取付ねじ孔４９が設けられ、下フレーム４０は、これら取付ねじ孔４９に取付ねじ８３を螺合することにより回路基板（図示せず）上に実装されるようになっている。
【００６５】
また、イジェクト機構２０は、ヘッダ部１１に回動可能に設けられたカムアーム２１と、コネクタ部１０のガイドアーム１２の外側に設けられた押圧ロッド２４とを備えている。
カムアーム２１は、一端２２が押圧ロッド２４側に他端が反対側に配置されてヘッダ部１１に回動可能に配置されている。そして、カムアーム２１の他端が、挿入されたカードＣの前端部を押圧してカードＣをコネクタ部１０から排出するようになっている。
【００６６】
押圧ロッド２４は、その前方側に前後方向に延びる第１スリット２４ａを、後方側に前後方向に延びる第２スリット２４ｂを有し、それら第１及び第２スリット２４ａ、２４ｂが下フレーム４０の案内側壁部４１，４２に案内支持されて、前後方向に直動可能となっている。押圧ロッド２４の前端２７はカムアーム２１の一端２２に連結され、カードＣの挿入時にカムアーム２１が回動して押圧ロッド２４が後退し、押圧ロッド２４の前進時にカムアーム２１が回動してカードＣを排出するようになっている。押圧ロッド２４の後端には、操作部２９が取付けられている。また、押圧ロッド２４の上端の前後方向略中央部には、カム部２５が立設されている。このカム部２５は、カードＣの挿入時にヒートシンク７０がカードＣの上面から退避するよう作用する第１カム面２６ａを上面に有し、カードＣの排出時にヒートシンク７０がカードＣの表面から退避するよう作用する第２カム面２６ｂを有する。第２カム面２６ｂは、カム部２５の前端面を傾斜面とすることにより形成されている。また、押圧ロッド２４の下端には、ロック突起９０が設けられている。
【００６７】
そして、１対のガイドアーム部１２，１６の上方側には、ヘッダ部１１に挿入されたカードＣの上面と接触するヒートシンク７０が設けられている。このヒートシンク７０は、複数の放熱突起７２を上面に有する略矩形状体で、周囲にフランジ７１を有する。ヒートシンク７０の下面には、熱伝導シート７３が貼付されている。ヒートシンク７０は、下フレーム４０に上下方向に回動可能に軸支された上フレーム５０に支持されている。
【００６８】
上フレーム５０は、中空の枠状体で、断面Ｌ字形の前枠部５３、後枠部５４、前枠部５３の右端及び後枠部５４の右端（図１２における右端）を連結する右枠部５２及び前枠部５３の左端及び後枠部５４の左端を連結する左枠部５１を備えている。前枠部５３の上壁及び後枠部５４の上壁の幅方向中央部には、下方に突出するように湾曲する支持湾曲部５３ａ、５４ａが形成され、前枠部５３及び後枠部５４の下端の幅方向略中央部には、支持湾曲部５３ａ、５４ａに対向する支持片５３ｂ、５４ｂ（５４ｂのみ図示）が形成されている。ヒートシンク７０のフランジ部７１が、前枠部５３及び後壁部５４の支持湾曲部５３ａ、５４ａと  前枠部５３及び後壁部５４の支持片５３ｂ、５４ｂとの間に配置され、ヒートシンク７０は、支持湾曲部５３ａ、５４ａを略中心として上下方向に回動可能に上フレーム５０に支持されている。ヒートシンク７０のフランジ部７１と前枠部５３、後枠部５４、及び右枠部５２の上壁との間には、弾性金属片８６が配置される。この弾性金属片８６は、右枠部５２の上壁の下方に位置する直線状部８７と、直線状部８７の前後両端から前枠部５３の上壁及び後枠部５４の上壁の下方に延びるアーム部８８，８９を備えたコ字形形状で形成されている。各アーム部８８，８９には、支持湾曲部５３ａ、５４ａに対応する下側凸の湾曲形状を有する湾曲部８８ａ，８９ａが形成されている。これら湾曲部８８ａ，８９ａを支持湾曲部５３ａ、５４ａの下側に対応させてヒートシンク７０のフランジ部７１と前枠部５３、後枠部５４、及び右枠部５２の上壁との間に弾性金属片８６を配置することにより、支持湾曲部５３ａ、５４ａ近傍のフランジ部７１の上下方向のがたつきを防止している。また、上フレーム５０の右枠部５２には、上フレーム５０に支持されたヒートシンク７０の放熱突起７２を押圧してヒートシンク７０のガイドアーム部１２側のフランジ部７１を制限部１８側に向けて付勢するばね部分（ばね手段）８５が設けられている。上フレーム５０の右枠部５２には、下フレーム４０に設けられた支持側壁部４４，４５のスリット４４ａ，４５ａに入り込んで上フレーム５０を回動可能に支持する回動支持部５５ａ，５５ｂが設けられている。また、上フレーム５０の左枠部５１には、その上端から外側に折り曲げられた舌片部５９が設けられ、舌片部５９の前方側及び後方側には、ばね係止片６０ａ，６０ｂが設けられている。そして、上フレーム５０の左枠部５１には、支軸５７が固定され、この支軸５７の外周であって左枠部５１の外側部分にカムローラ５８がＣリング５８ｄにより回動可能に軸支されている。
【００６９】
そして、下フレーム４０のばね係止片４６ａ，４６ｂと上フレーム５０のばね係止片６０ａ，６０ｂとに上フレーム５０を回動支持部５５ａ，５５ｂを略中心として下方向に回動させる引張ばね（ばね手段）６１ａ，６１ｂのフック部が係止される。この結果、上フレーム５０に支持されたヒートシンク７０も下方向に向けて回動する。この際に、支軸５７の上フレーム５０より内側の部分がガイドアーム部１２に設けられた案内スリット１５に案内されて下方に移動する。そして、ヘッダ部１１にカードＣが挿入されているときにはヒートシンク７０の下面の熱伝導シート７３がカードＣの上面に接触することになる。ただし、ヘッダ部１１にカードＣが挿入されていないときには、図１５（Ａ）に示すように、カムローラ５８がカム部２５の第１カム面２６ａ上に位置し、カードＣの挿入を行える空間が確保される。なお、上フレーム５０の右枠部５２には、外方に向けて突出するストッパ片５６が設けられ、このストッパ片５６が下フレーム４０の８４の上端に当接することにより、上フレーム５０の右枠部５２の下方への回動が規制されるようになっている。
【００７０】
次に、図１５及び図１６を参照して、カードＣの挿入及び排出に伴う作用について説明する。
先ず、カードＣが挿入されていないときには、図１５（Ａ）及び図１６（Ａ）に示すように、押圧ロッド２４が最も前進した位置にあり、押圧ロッド２４の前端２７がカムアーム２１の一端２２に当接してカムアーム２１の他端が最も後退した位置にある。この状態では、カムローラ５８がカム部２５の第１カム面２６ａ上に位置し、カードＣの上面とヒートシンク７０の下面との隙間が図５（Ａ）に示すｄ1 と同じになるような空間が確保される。
【００７１】
そして、カードＣがヘッダ部１１のコンタクトと接触する位置まで挿入されると、カードＣの前端がカムアーム２１の他端を押圧し、カムアーム２１が回動して、図１５（Ｂ）及び図１６（Ｂ）に示すように、押圧ロッド２４が若干後退する。このとき、カムローラ５８はカム部２５の第１カム面２６ａ上に未だに位置し、カードＣの上面とヒートシンク７０の下面との隙間が未だｄ1 と同じになっている。従って、カードＣがヒートシンク７０に干渉せずカードＣの挿入は妨げられない。このため、ヒートシンク７０の下面に設けられた熱伝導シート７３がカードＣの挿入時に外れない。
【００７２】
次いで、カードＣがヘッダ部１１の手前の位置まで挿入されると、カードＣの前端がカムアーム２１の他端を更に押圧し、カムアーム２１が回動して、図１５（Ｃ）及び図１６（Ｃ）に示すように、押圧ロッド２４が更に後退する。このとき、カムローラ５８はカム部２５の第１カム面２６ａと第２カム面２６ｂとの境の位置上に位置し、カードＣの上面とヒートシンク７０の下面との隙間が未だｄ1 と同じになっている。従って、カードＣがヒートシンク７０に干渉せずカードＣの挿入は妨げられない。このため、ヒートシンク７０の下面に設けられた熱伝導シート７３がカードＣの挿入時に外れない。
【００７３】
そして、カードＣがヘッダ部１１に対して完全に挿入されると、カードＣの前端がカムアーム２１の他端を更に押圧し、カムアーム２１が回動して、図１５（Ｄ）及び図１６（Ｄ）に示すように、押圧ロッド２４が更に後退する。このとき、カムローラ５８はカム部２５の第２カム面２６ｂの上方よりの位置上に位置してカム係合し、カードＣの上面とヒートシンク７０の下面との隙間が若干小さくなって図５（Ｄ）に示すｄ2 と同じになる。
【００７４】
その後、図１５（Ｅ）及び図１６（Ｅ）に示すように、引張ばね６１ａ，６１ｂの作用により上フレーム５０及びヒートシンク７０が下方向に向けて回動し、カムローラ５８の下降に伴って第２カム面２６ｂを介して押圧ロッド２４のみが後退し、ヒートシンク７０の下面、正確にはヒートシンク７０の下面に貼付された熱伝導シート７３の下面がカードＣの表面に接触する。これにより、カードＣの排熱を行うことができる。このため、消費者のヒートシンク操作を要することなく、ヒートシンク７０によってカードＣの排熱を行うことができる。
そして、押圧ロッド２４のみが後退することで、図１５（Ｅ）及び図１６（Ｅ）に示すように、押圧ロッド２４の前端２７とカムアーム２１の一端２２との間に遊びδが生じる。このため、カードＣがヘッダ部１１に挿入完了した後のみ、ヒートシンク７０によってカードＣの排熱を行うことができる。
【００７５】
一方、挿入されたカードＣを排出するときには、押圧ロッド２４を図１５（Ｅ）及び図１６（Ｅ）に示す状態から前進させる。すると、押圧ロッド２４の第２カム面２６ｂに沿ってカムローラ５８が上昇し、上フレーム５０及びヒートシンク７０が上方向に回動する。押圧ロッド２４の前端２７が図１５（Ｄ）及び図１６（Ｄ）に示すようにカムアーム２１の一端２２に当接するまで押し込むと、カードＣの上面とヒートシンク７０の下面 (正確にはヒートシンク７０の下面に設けられた熱伝導シート７３の下面）との隙間が図５（Ｄ）に示すｄ2 と同じになる。図１５（Ｅ）から図１５（Ｄ）に至る間の過程では、図１５（Ｅ）の状態で押圧ロッド２４の前端２７とカムアーム２１の一端２２との間に遊びδがあるため、押圧ロッド２４の前端２７がカムアーム２１の一端２２に当接せず、ヒートシンク７０がカードＣの上面から退避しない。
【００７６】
そして、図１５（Ｄ）及び図１６（Ｄ）に示す状態から図１５（Ｃ）及び図１６（Ｃ）に示す状態まで押圧ロッド２４を前進させると、押圧ロッド２４の前端２７がカムアーム２１の一端２２を押圧してカムアーム２１が回動し、カードＣの前端がヘッダ部１１の手前位置まで後退する。このとき、カムローラ５８は押圧ロッド２４の第２カム面２６ｂに沿って上昇し、第１カム面２６ａと第２カム面２６ｂとの境の位置上に位置する。これにより、カードＣの上面とヒートシンク７０の下面との隙間が図５（Ｃ）に示すｄ1 と同じに広がる。このため、カードＣがヒートシンク７０に干渉せず、カードＣの排出は妨げられない。このため、ヒートシンク７０の下面に設けられた熱伝導シート７３がカードＣの排出時に外れない。
【００７７】
そして、図１５（Ｃ）及び図１６（Ｃ）に示す状態から図１５（Ｂ）及び図１６（Ｂ）に示す状態まで押圧ロッド２４を前進させると、押圧ロッド２４の前端２７がカムアーム２１の一端２２を更に押圧してカムアーム２１が回動し、カードＣの前端がヘッダ部１１のコンタクトの先端と接触する位置まで後退する。このとき、カムローラ５８はカム部２５の第１カム面２６ａ上に位置し、カードＣの上面とヒートシンク７０の下面との隙間がｄ1 に維持される。従って、カードＣがヒートシンク７０に干渉せずカードＣの排出は妨げられない。このため、ヒートシンク７０の下面に設けられた熱伝導シート７３がカードＣの排出時に外れない。
【００７８】
そして、図１５（Ｂ）及び図１６（Ｂ）に示す状態から図１５（Ａ）及び図１６（Ａ）に示す状態まで押圧ロッド２４を前進させると押圧ロッド２４が最も前進した位置となり、押圧ロッド２４の前端２７がカムアーム２１の一端２２を更に押圧してカムアーム２１が回動し、カードＣの前端がヘッダ部１１のコンタクトの先端と完全に離れた位置まで後退し、カードＣを排出する。この状態では、カムローラ５８がカム部２５の第１カム面２６ａ上に位置し、カードＣの上面とヒートシンク７０の下面との隙間がｄ1 に維持される。従って、カードＣがヒートシンク７０に干渉せずカードＣの排出は妨げられない。このため、ヒートシンク７０の下面に設けられた熱伝導シート７３がカードＣの排出時に外れない。そして、カードＣの排出に際し、消費者のヒートシンク取り外し操作を必要としない。
【００７９】
そして、ヒートシンク７０がカードＣの上面から退避する際に、ヒートシンク７０の片側（ガイドフレーム部１２側）の上方への移動を制限する制限部１８が設けられたので、ヒートシンク７０が上フレーム５０に上下方向に回動可能に支持されていても、ヒートシンク７０がカードＣから退避するときにヒートシンク７０をほぼ水平に保つことができる。
【００８０】
また、上フレーム５０に、ヒートシンク７０の片側（ガイドフレーム部１２側）を制限部１８側に向けて付勢するばね部分８５を設けたので、ヒートシンク７０がカードＣから退避するときにヒートシンク７０の片側を制限部１８に位置決めでき、確実にヒートシンク７０をほぼ水平に保つことができる。
そして、中間フレーム３０に、カードＣの非挿入時に押圧ロッド２４の後退をロックし、カードＣの挿入時にカードＣと係合して押圧ロッド２４のロックを解除するロック部８０を設けたので、カードＣの非挿入時に押圧ロッド２４を誤って引っ張ってもその後退を阻止することができ、ヒートシンク７０のカードＣ側への移動を阻止することができる。
以上、本発明の実施形態について説明してきたが、本発明はこれに限定されずに種々の変更、改良を行うことができる。
例えば、イジェクト機構２０の押圧ロッド２４は、コネクタ部１０のガイドアーム１２の外側に設けられるのみならず、反対側のガイドアーム１６の外側に設けるようにしてもよい。
【図面の簡単な説明】
【００８１】
【図１】本発明に係るカード用コネクタの第１実施形態を示し、（Ａ）は平面図、（Ｂ）は正面図である。
【図２】図１のカード用コネクタを示し、（Ａ）は左側面図、（Ｂ）は右側面図、（Ｃ）は背面図である。
【図３】図１のカード用コネクタを示し、（Ａ）は図１（Ａ）における３Ａ−３Ａ線に沿う断面図、（Ｂ）は図１（Ａ）における３Ｂ−３Ｂ線に沿う断面図である。
【図４】図１のカード用コネクタの分解斜視図である。
【図５】図１のカード用コネクタにおいて、カードのヘッダ部に対する挿入位置とヒートシンクのカードに対する上下方向位置との関係を概念的に示す説明図である。
【図６】図１のカード用コネクタにおいて、カードのヘッダ部に対する挿入位置と、ヒートシンクのカードに対する上下方向位置と、押圧ロッドのカムアームに対する前後方向位置との関係を示す説明図である。
【図７】本発明に係るカード用コネクタの第２実施形態の斜視図である。
【図８】図７に示すカード用コネクタからヒートシンク、上フレーム、及び中間フレームを取り除いた状態の斜視図である。
【図９】図７のカード用コネクタの平面図であり、（Ａ）はカードをヘッダ部に挿入する前の平面図、（Ｂ）はカードをヘッダ部に挿入した後の平面図である。
【図１０】図７のカード用コネクタの左側面図であり、（Ａ）はカードをヘッダ部に挿入する前の左側面図、（Ｂ）はカードをヘッダ部に挿入した後の左側面図である。
【図１１】図７のカード用コネクタの右側面図であり、（Ａ）はカードをヘッダ部に挿入する前の右側面図、（Ｂ）はカードをヘッダ部に挿入した後の右側面図である。
【図１２】本発明に係るカード用コネクタの第３実施形態を正面側右斜め上方から見た斜視図である。
【図１３】本発明に係るカード用コネクタの第３実施形態を正面側左斜め上方から見た斜視図である。
【図１４】図１２のカード用コネクタの分解斜視図である。
【図１５】図１２のカード用コネクタにおいて、カードのヘッダ部に対する挿入位置と、ヒートシンクのカードに対する上下方向位置と、押圧ロッドのカムアームに対する前後方向位置との関係を示す説明図である。
【図１６】図１５に対応した押圧ロッドのカムアームに対する前後方向位置を平面側から見た図である。
【図１７】従来例のカード用コネクタの平面図である。
【図１８】従来のＩＣソケットの正面図である。
【符号の説明】
【００８２】
１  カード用コネクタ
１０  コネクタ部
１８  制限部
２０  イジェクト機構
２１  カムアーム
２４  押圧ロッド
２５  カム部
２６ａ  第１カム面
２６ｂ  第２カム面
３５  リンク
３６  第２ロッド
３７ａ，３７ｂ  第２カム部
３８ａａ，３８ｂａ  第１カム面
３８ａｂ，３８ｂｂ  第２カム面
４０  下フレーム
５０  上フレーム
６１，６１ａ，６１ｂ，６１ｃ，６１ｄ  引張ばね（ばね手段）
７０  ヒートシンク
８０  ロック部
８５  ばね部分（ばね手段）
Ｃ  カード
【図１】
2005285522.tif 000003
【図２】
2005285522.tif 000004
【図３】
2005285522.tif 000005
【図４】
2005285522.tif 000006
【図５】
2005285522.tif 000007
【図６】
2005285522.tif 000008
【図１２】
2005285522.tif 000009
【図１３】
2005285522.tif 000010
【図１４】
2005285522.tif 000011
【図１５】
2005285522.tif 000012
【図１６】
2005285522.tif 000013
【図１７】
2005285522.tif 000014
【図１８】
2005285522.tif 000015
【図７】
2005285522.tif 000016
【図８】
2005285522.tif 000017
【図９】
2005285522.tif 000018
【図１０】
2005285522.tif 000019
【図１１】
2005285522.tif 000020